(57)【要約】【課題】放射性物質の容器用の衝撃吸収体であって、容器内の収納物（放射性物質）の重量に応じて付け替えるという必要性がなく、容器内収納物の重量が大きい場合も小さい場合も衝撃吸収が可能な衝撃吸収体を提供する。【解決手段】（１）　先端部を容器の保護すべき面よりも突出させて取り付けられるフィン形衝撃吸収体であって、フィン形状部材を多層に積層した構造を有すると共に、各層のフィン形状部材の先端部の先端の位置を順次異ならせて配置し、前記容器に取り付けられた際に前記容器から遠くに位置する層のフィン形状部材ほどフィン形状部材の先端部の先端の位置が前記容器の保護すべき面から遠くなるように構成したことを特徴とするもの、（２）　これが取り付けられた放射性物質の容器等。【選択図】　　　　図２
2004037309.tif 000002
【特許請求の範囲】
【請求項１】
放射性物質の輸送用および／または貯蔵用の容器に取り付けられて用いられるフィン形の衝撃吸収体であり、その先端部を前記容器の保護すべき面よりも突出させて取り付けられるフィン形衝撃吸収体であって、
フィン形状部材を多層に積層した構造を有すると共に、各層のフィン形状部材の先端部の先端の位置を順次異ならせて配置し、前記容器に取り付けられた際に前記容器から遠くに位置する層のフィン形状部材ほどフィン形状部材の先端部の先端の位置が前記容器の保護すべき面から遠くなるように構成したことを特徴とする放射性物質の容器用のフィン形衝撃吸収体。
【請求項２】
前記容器に取り付けられた際にフィン形衝撃吸収体の先端部とその反対側の他端部との間に、この他端部から先端部に向かうに従って前記容器から遠くなる方向に傾斜する傾斜部を有する請求項１記載のフィン形衝撃吸収体。
【請求項３】
前記傾斜部が前記容器の保護すべき面を含む平面と交わる位置またはその近傍の位置から先端部の方向に向けて傾斜する請求項２記載のフィン形衝撃吸収体。
【請求項４】
前記フィン形状部材が金属よりなる請求項１〜３のいずれかに記載のフィン形衝撃吸収体。
【請求項５】
請求項１〜４のいずれかに記載のフィン形衝撃吸収体が複数個取り付けられたことを特徴とする放射性物質の輸送用および／または貯蔵用の容器。
【請求項６】
前記容器が角形の容器であると共に、前記フィン形衝撃吸収体の形状が、前記容器の保護すべき面に平行な方向の断面がＬ字状という形状であって、この角形の容器の保護すべき面のコーナの各々に対し、そのコーナ近傍の容器外壁部に前記フィン形衝撃吸収体の他端部の面を沿わせて、前記フィン形衝撃吸収体が１個ずつ取り付けられている請求項５記載の放射性物質の輸送用および／または貯蔵用の容器。
【発明の詳細な説明】
【０００１】
【発明の属する技術分野】
本発明は、放射性物質の容器用の衝撃吸収体および衝撃吸収体が取り付けられた放射性物質の容器に関する技術分野に属するものであり、特には、放射性物質の輸送用および／または貯蔵用の容器に取り付けられて用いられる衝撃吸収体に関する技術分野に属するものである。
【０００２】
【従来の技術】
放射性物質を輸送するための容器（放射性物質の輸送用の容器）は、法令で定められた条件の下においた時に、収納物（放射性物質）の飛散のないように設計されるよう義務づけられている。
【０００３】
この条件には放射性物質の輸送用の容器（放射性物質輸送容器）の落下が含まれており、以下の高さから落下することとなっている。
【０００４】
５トン未満の場合・・・・・・・・・・・・高さ１．２　ｍ（１．２　ｍ落下）
５トン以上、１０トン未満の場合・・・・・・高さ０．９　ｍ（０．９　ｍ落下）
１０トン以上、１５トン未満の場合・・・・・・高さ０．６　ｍ（０．６　ｍ落下）
１５トン以上の場合・・・・・・・・・・・・高さ０．３　ｍ（０．３　ｍ落下）
ここで、トン数は、輸送物（輸送容器および収納物）の重量（質量）のことである。
【０００５】
このような落下の際の衝撃から放射性物質輸送容器を保護するため、放射性物質輸送容器には衝撃吸収体を取り付けるのが一般的である。衝撃吸収体は、自らが変形することにより落下時のエネルギーを吸収するようになっており、柔らかくて変形しやすい物質、例えば樹脂、木材や金属ハニカム等が充填される。
【０００６】
このような従来の衝撃吸収体の例として、文献（青木成文著「放射性物質輸送のすべて」（１９９０），　ｐ．１４３　）に記載されたものがある。これには放射性物質輸送容器に取り付けられる衝撃吸収カバーの典型例が示されている。また、特開２０００−１６２３８６号公報や特表平８−５０７３８３号公報に記載された衝撃吸収体がある。いずれの例においても、衝撃吸収体の構造は、金属のケーシングの内側に衝撃吸収物質（木材、金属ピース、アルミハニカム、ウレタンフォーム等）が一様に充填された構造となっている。また、衝撃吸収体は容器の前後を覆うように取り付けられている。
【０００７】
従来の衝撃吸収体における設計条件上の共通点は、特定あるいは一定量の収納物を想定した設計になっていることである。つまり、衝撃吸収体は想定される収納物における最大の輸送物重量（質量）を前提とした設計となっていることである。具体的には、最大重量と落下高さの積から求められる最大位置エネルギーに基づき、それと等価な変形エネルギー（反力×変形量）を発現する充填物質と充填量の組み合わせが選択される。
【０００８】
さらに、衝撃吸収体は、輸送物に加わる加速度（落下方向と反対の方向）が一定の値以下となるように、即ち、変形中に衝撃吸収体から輸送容器に伝わる反力が小さくなるよう設計される。
【０００９】
【発明が解決しようとする課題】
複数の廃棄物を収納する輸送容器の場合、輸送物の重量（質量）は収納する廃棄物の種類、量により大きく変化する可能性がある。
【００１０】
この場合、最大重量に着目して衝撃吸収体を設計すると、軽量時の輸送においては充分に衝撃を吸収できないという問題がある。何故ならば、最大重量時に合わせて設計された衝撃吸収体は剛性が高く、小重量時には反力が大きすぎるからである。この傾向を数式を用いて表現すると、次の通りである。
【００１１】
衝撃吸収体の変形時の設計反力をＲ（一定）としたとき、収納物が重い時の輸送容器の質量をｍｈｅａｖｙ　とすると、発生する加速度ａｈｅａｖｙ　は、
ａｈｅａｖｙ　＝Ｒ／ｍｈｅａｖｙ　
となるのに対して、同じ衝撃吸収体を軽い輸送物ｍｌｉｇｈｔ　に適用した時に発生する加速度ａｌｉｇｈｔ　は、
ａｌｉｇｈｔ　＝Ｒ／ｍｌｉｇｈｔ　
となり、これにより、加速度が上昇し、衝撃吸収能は劣化することになるからである。
【００１２】
従って、収納物の重量に応じて反力の異なる衝撃吸収体を付け替えるといった煩雑な作業が必要になり、また、そのために反力の異なる衝撃吸収体を多数準備する必要があり、これは経済的にも良くない。
【００１３】
本発明は、このような事情に鑑みてなされたものであって、その目的は、放射性物質の輸送用および／または貯蔵用の容器に取り付けられて用いられる衝撃吸収体（放射性物質の容器用の衝撃吸収体）であって、容器内の収納物（放射性物質）の重量に応じて付け替えるという必要性がなく、容器内収納物の重量が大きい場合も小さい場合も衝撃吸収が可能な衝撃吸収体を提供しようとするものである。
【００１４】
【課題を解決するための手段】
上記の目的を達成するために、本発明に係る衝撃吸収体は、請求項１〜４記載の衝撃吸収体としており、それは次のような構成としたものである。
【００１５】
即ち、請求項１記載の衝撃吸収体は、放射性物質の輸送用および／または貯蔵用の容器に取り付けられて用いられるフィン形の衝撃吸収体であり、その先端部を前記容器の保護すべき面よりも突出させて取り付けられるフィン形衝撃吸収体であって、フィン形状部材を多層に積層した構造を有すると共に、各層のフィン形状部材の先端部の先端の位置を順次異ならせて配置し、前記容器に取り付けられた際に前記容器から遠くに位置する層のフィン形状部材ほどフィン形状部材の先端部の先端の位置が前記容器の保護すべき面から遠くなるように構成したことを特徴とする放射性物質の容器用のフィン形衝撃吸収体であることとしている（第１発明）。
【００１６】
請求項２記載の衝撃吸収体は、前記容器に取り付けられた際にフィン形衝撃吸収体の先端部とその反対側の他端部との間に、この他端部から先端部に向かうに従って前記容器から遠くなる方向に傾斜する傾斜部を有する請求項１記載のフィン形衝撃吸収体であることとしている（第２発明）。
【００１７】
請求項３記載の衝撃吸収体は、前記傾斜部が前記容器の保護すべき面を含む平面と交わる位置またはその近傍の位置から先端部の方向に向けて傾斜する請求項２記載のフィン形衝撃吸収体であることとしている（第３発明）。
【００１８】
請求項４記載の衝撃吸収体は、前記フィン形状部材が金属よりなる請求項１〜３のいずれかに記載のフィン形衝撃吸収体であることとしている（第４発明）。
【００１９】
また、本発明は放射性物質の容器（放射性物質の輸送用および／または貯蔵用の容器）に係わり、それは請求項５〜６記載の放射性物質の容器としており、次のような構成としたものである。
【００２０】
即ち、請求項５記載の放射性物質の容器は、請求項１〜４のいずれかに記載のフィン形衝撃吸収体が複数個取り付けられたことを特徴とする放射性物質の輸送用および／または貯蔵用の容器であることとしている（第５発明）。
【００２１】
請求項６記載の放射性物質の容器は、前記容器が角形の容器であると共に、前記フィン形衝撃吸収体の形状が、前記容器の保護すべき面に平行な方向の断面がＬ字状という形状であって、この角形の容器の保護すべき面のコーナの各々に対し、そのコーナ近傍の容器外壁部に前記フィン形衝撃吸収体の他端部の面を沿わせて、前記フィン形衝撃吸収体が１個ずつ取り付けられている請求項５記載の放射性物質の輸送用および／または貯蔵用の容器であることとしている（第６発明）。
【００２２】
【発明の実施の形態】
本発明に係る衝撃吸収体を放射性物質の容器に取り付けた状態の一例を図１に斜視図で示す。また、その要部（衝撃吸収体およびその近傍）の断面図を図２に示す。
【００２３】
この例においては、図１に示すように、放射性物質の容器として、収納量により最大重量と最小重量の幅が大きな角形（直方体状）の放射性物質輸送容器を用いており、この容器の上部の４つのコーナの各々に対し、本発明に係る衝撃吸収体を１個ずつ取り付けている。この衝撃吸収体はフィン形の衝撃吸収体であり、その先端部を容器の保護すべき面よりも突出させて取り付けられている。この場合、容器の保護すべき面は容器の上面であり、フィン形衝撃吸収体の先端部は上端部ともいえるので、このフィン形衝撃吸収体はその上端部を容器の上面よりも高く位置させて取り付けられているということもできる。
【００２４】
このフィン形の衝撃吸収体は、図２に示すように、フィン形状部材を多層に積層した構造を有すると共に、各層のフィン形状部材の先端部（上端部）の先端の位置を順次異ならせて配置したものである。そして、このフィン形の衝撃吸収体は、容器から遠くに位置する層のフィン形状部材ほどフィン形状部材の先端部（上端部）の先端の位置が容器の保護すべき面（容器の上面）から遠くなるように容器に取り付けられる。即ち、このフィン形衝撃吸収体は、容器から遠くに位置する層のフィン形状部材ほど容器の保護すべき面（容器の上面）から突出する部分が長くなるように容器に取り付けられている。この場合、容器から遠くに位置する層のフィン形状部材ほどフィン形状部材の上端部の先端の位置が高くなるように容器に取り付けられているということもできる。また、フィン形状部材の上端部の先端の位置が最も低いものを容器に近い側にして容器に取り付けられているということもできる。
【００２５】
このような衝撃吸収体（フィン形衝撃吸収体）が取り付けられた容器（角形容器）が転倒して落下する際、容器の上部（頭）を下にして落下する。この落下の際、フィン形衝撃吸収体の先端から地面（道路面等）に当たり、衝突する。これは、フィン形衝撃吸収体の先端部（上端部）を容器の上面よりも高く位置させて取り付けられているからである。即ち、フィン形衝撃吸収体の先端部（上端部）を容器の保護すべき面（容器の上面）よりも突出させて取り付けられているからである。
【００２６】
このフィン形衝撃吸収体の地面への衝突の際、容器内の物質量（収納量）の重量が小さい場合には、図３に示すように、容器から最も遠くに位置する層のフィン形状部材（容器に取り付けられた際にフィン形状部材の先端部の先端の位置が容器の保護すべき面から最も遠かったもの、即ち、フィン形状部材の上端部の先端位置が最も高かったもの）あるいは更にその隣のフィン形状部材が変形して、落下時の衝突エネルギーを吸収する。一方、容器内の物質量（収納量）の重量が大きい場合には、図４に示すように、上記のフィン形状部材が変形すると共に、容器に近い側のフィン形状部材（容器に取り付けられた際にフィン形状部材の先端部の先端の位置が容器の保護すべき面から近かったもの、即ち、フィン形状部材の上端部の先端の位置が低かったもの）も順次変形してゆき、衝突エネルギーを吸収する。なお、容器内の物質量の重量が最大である場合、容器に最も近い側のフィン形状部材まで変形を生じる。
【００２７】
従って、衝撃吸収体を容器内の収納物（放射性物質）の重量に応じて付け替えるという必要性がなく、容器内収納物の重量が大きい場合も小さい場合も衝撃吸収が可能である。
【００２８】
上記例（発明の実施の形態の例）からもわかるように、本発明に係る衝撃吸収体（フィン形衝撃吸収体）によれば、これを容器内の収納物（放射性物質）の重量に応じて付け替えるという必要性がなく、容器内収納物の重量が大きい場合も小さい場合も衝撃吸収が可能である。
【００２９】
即ち、本発明に係る衝撃吸収体（フィン形衝撃吸収体）は、フィン形状部材を多層に積層した構造を有すると共に、各層のフィン形状部材の先端部の先端の位置を順次異ならせて配置し、容器に取り付けられた際に容器から遠くに位置する層のフィン形状部材ほどフィン形状部材の先端部の先端の位置が容器の保護すべき面から遠くなるようにし、かつ、フィン形衝撃吸収体の先端部を容器の保護すべき面よりも突出させる（全てのフィン形状部材の先端部の先端を容器の保護すべき面よりも突出させる）ようにしていることに起因して、これを容器内の収納物（放射性物質）の重量に応じて付け替えるという必要性がなく、容器内収納物の重量が大きい場合も小さい場合も衝撃吸収が可能であり、幅広い収納物重量範囲での衝撃を適切に吸収できる。従って、様々な収納物（放射性物質）を一組の容器および衝撃吸収体にて輸送および／または貯蔵をすることができるようになる。
【００３０】
本発明に係るフィン形衝撃吸収体は、放射性物質の輸送用および／または貯蔵用の容器に取り付けられて用いられるフィン形の衝撃吸収体であり、その先端部を前記容器の保護すべき面よりも突出させて取り付けられるフィン形衝撃吸収体であって、フィン形状部材を多層に積層した構造を有すると共に、各層のフィン形状部材の先端部の先端の位置を順次異ならせて配置し、前記容器に取り付けられた際に前記容器から遠くに位置する層のフィン形状部材ほどフィン形状部材の先端部の先端の位置が前記容器の保護すべき面から遠くなるように構成したことを特徴とする放射性物質の容器用のフィン形衝撃吸収体である。この中、前述の発明の実施の形態の例（図１〜２）で示したフィン形衝撃吸収体は、次のようにいうこともできる。即ち、放射性物質の輸送用および／または貯蔵用の容器に取り付けられて用いられるフィン形の衝撃吸収体であり、その先端部（上端部）を前記容器の保護すべき面（容器の上面）よりも高く位置させて取り付けられるフィン形衝撃吸収体であって、フィン形状部材を多層に積層した構造を有すると共に、各層のフィン形状部材の上端部の先端の位置を順次異ならせて配置し、前記容器に取り付けられた際に前記容器から遠くに位置する層のフィン形状部材ほどフィン形状部材の上端部の先端の位置が高くなるように構成したことを特徴とする放射性物質の容器用のフィン形衝撃吸収体である、ということもできる。
【００３１】
前述の発明の実施の形態の例（図１〜２）で示したフィン形衝撃吸収体が取り付けられる容器においては保護すべき面が容器の上面であるが、容器の左側面に蓋がついている場合のように、保護すべき面が容器の左側面である場合には、前記例示したようなフィン形衝撃吸収体は、次のようにいうこともできる。即ち、放射性物質の輸送用および／または貯蔵用の容器に取り付けられて用いられるフィン形の衝撃吸収体であり、その先端部（左端部）を前記容器の保護すべき面（容器の左側面）よりも左側に位置させて取り付けられるフィン形衝撃吸収体であって、フィン形状部材を多層に積層した構造を有すると共に、各層のフィン形状部材の左端部の先端の位置を順次異ならせて配置し、前記容器に取り付けられた際に前記容器から遠くに位置する層のフィン形状部材ほどフィン形状部材の左端部の先端の位置が左側になるように構成したことを特徴とする放射性物質の容器用のフィン形衝撃吸収体である、ということもできる。
【００３２】
図２に示す例においては、フィン形衝撃吸収体の先端部（上端部）とその反対側の他端部（下端部）との間に該他端部から先端部に向かう（上方に向かう）に従って前記容器から遠くなる方向に傾斜する傾斜部を有するが、このような傾斜部を有する必要性は必ずしもなく、全体［先端部（上端部）、中央部および他端部（下端部）］にわたって真っ直ぐなものであってもよい。このように真っ直ぐな場合においても、これを容器内の収納物（放射性物質）の重量に応じて付け替えるという必要性がなく、容器内収納物の重量が大きい場合も小さい場合も衝撃吸収が可能である。
【００３３】
これに対し、上記のような傾斜部を有する場合、下記のような特長点がある。即ち、真っ直ぐなものでは、最大重量に合わせた剛性を有する衝撃吸収体として設計されるため、軽量の条件で落下した場合に、ボルト等への衝撃値が高くなるが、傾斜部を有する場合は、剛性の低い部位から順次変形が起るため、ボルト等への衝撃値を低減することができる。また、フィン形衝撃吸収体が容器に取り付けられた際にフィン形衝撃吸収体が容器の端部を覆っていない状態となるので、フィン形衝撃吸収体を一々外すことなく、容器どうしを多段に積んで輸送したり貯蔵したりすることができるようになるという特長点がある（第２発明）。
【００３４】
上記のような傾斜部を有する場合、先端部と他端部との間のどの位置から傾斜するようにするかは、特には限定されず、傾斜部が容器の保護すべき面を含む平面と交わる位置またはその近傍の位置から先端部の方向に向けて傾斜するようにすることができる。この場合、例えば、傾斜部が容器の上面の高さの近傍の高さの位置から上に向けて傾斜するようにすると、容器の底部をフィンで支える構造とすることが可能であり、上面に蓋がある場合であっても、蓋面に直接荷重を加えることなく積み重ねることが可能である。このことは、蓋の合せ面等を保護する観点から重要である。また、フィン形衝撃吸収体を一々外すことなく容器どうしを多段に積むことが、より行いやすくなる（第３発明）。
【００３５】
本発明に係るフィン形衝撃吸収体において、フィン形状部材の構成材料としては、地面への衝突の際に変形するものであればよく、その種類は特には限定されず、例えば金属よりなるものを使用することができ（第４発明）、また、金属と樹脂を積層した構造のものを使用することができる。金属よりなるものを用いる場合、この金属としては、その種類は特には限定されず、種々のものを使用することができ、例えば所定の剛性を確保するため、剛性の異なる合金鋼を組み合わせたフィンを用いることができるが、製作性やコストの点から、同一材料を組み合わせたフィンを用いることが望ましく、また、製作性やコストの点からすると、容器本体の材料と同じ材質のフィンを用いることが望ましい。
【００３６】
本発明に係るフィン形衝撃吸収体は放射性物質の容器に取り付けられるが、この容器は放射性物質の輸送用の容器に限定されず、放射性物質の貯蔵用の容器、あるいは、放射性物質の輸送用兼貯蔵用の容器に取り付けられる。このとき、取り付けられるフィン形衝撃吸収体の個数は、通常１個では不充分であり、複数個とする（第５発明）。
【００３７】
このようにフィン形衝撃吸収体を複数個取り付ける場合、そのフィン形衝撃吸収体を構成するフィン形状部材の全ての先端部の先端を容器の保護すべき面よりも突出させると共に、フィン形状部材の中で先端部の先端の位置が容器の保護すべき面から最も遠いフィン形状部材を容器から遠い側に位置させて、フィン形衝撃吸収体を取り付けるようにすることが望ましい。例えば、前述の発明の実施の形態の例の場合においては、図１〜２に示される如く、フィン形衝撃吸収体を構成するフィン形状部材の全ての先端部（上端部）の先端を容器の保護すべき面（容器の上面）よりも高く位置させると共に、フィン形状部材の中で上端部の先端の位置が最も高いフィン形状部材を容器から遠い側に位置させて、フィン形衝撃吸収体を取り付けるようにすることが望ましい。そうすると、容器内の物質量の重量が大きい場合、衝突の際に容器に最も近い側のフィン形状部材まで変形を生じることが可能となり、このため、幅広い収納物重量範囲での衝撃の吸収が可能となる。
【００３８】
本発明に係るフィン形衝撃吸収体を放射性物質の容器に取り付ける際、そのフィン形衝撃吸収体の形状（請求項に記載の要件を除く）即ち外形的形状およびフィン形衝撃吸収体を取り付ける個所については、特には限定されず、適宜選定され設定される。
【００３９】
例えば、角形の容器に取り付ける際には、フィン形衝撃吸収体の形状を、容器の保護すべき面に平行な方向の断面がＬ字状という形状にし、この角形の容器の保護すべき面のコーナの各々に対し、そのコーナ近傍の容器外壁部にフィン形衝撃吸収体の他端部（先端部の反対側の端部）の面を沿わせて、フィン形衝撃吸収体を１個ずつ取り付ける（第６発明）。容器が直方体状の容器であって容器の保護すべき面が上面である場合には、例えば、図１に示す例の如く、フィン形衝撃吸収体の形状をその水平方向断面がＬ字状という形状にし、直方体状の容器の上部の４つのコーナの各々に対し、そのコーナ近傍の容器外壁部にフィン形衝撃吸収体の他端部（下端部）の面を沿わせて、フィン形衝撃吸収体を１個ずつ取り付ける。そうすると、容器の落下時に地面にフィン形衝撃吸収体が最先に衝突し、このため、容器の落下時の衝撃エネルギーを吸収し、落下の際の衝撃から容器を保護することができる。
【００４０】
容器側壁が円筒状の容器に取り付ける際には、フィン形衝撃吸収体の形状をその水平方向断面が円弧状（容器側壁の円筒面に沿う形の円弧）という形状にし、円筒状容器の上部のコーナ近傍の容器側壁部にフィン形衝撃吸収体の他端部（下端部）の面を沿わせて、フィン形衝撃吸収体を取り付ける。このとき、フィン形衝撃吸収体の幅（円弧の長さ）、フィン形衝撃吸収体の個数、フィン形衝撃吸収体とその隣のフィン形衝撃吸収体との間隔等の条件は、円筒状容器の大きさ（径）、フィン形衝撃吸収体の上端部の長さ等の条件に応じて適宜選定され設定される。即ち、容器の落下時に地面にフィン形衝撃吸収体のいずれかが最先に衝突し、または、１以上が同時にあるいは前後して衝突し、容器の落下時の衝撃エネルギーを吸収し、落下の際の衝撃から容器を保護することができるように、前記の条件は選定され設定されることが重要である。
【００４１】
本発明において、フィン形衝撃吸収体の先端部とは、中央部および他端部（先端部の反対側の端部）を除く部分のこと、即ち、フィン形衝撃吸収体を中央部、先端部、他端部の３ゾーンに分けたときの先端部のことである。但し、この先端部は、フィン形衝撃吸収体を構成するフィン形状部材の全ての先端部の先端を含むこととする。フィン形状部材の先端部が上端部となるような場合において、フィン形衝撃吸収体の上端部とは、中央部および下端部を除く部分のこと、即ち、フィン形衝撃吸収体を中央部、下端部、上端部の３ゾーンに分けたときの上端部のことである。但し、この上端部は、フィン形衝撃吸収体を構成するフィン形状部材の全ての上端部の先端を含むこととする。
【００４２】
フィン形衝撃吸収体を構成するフィン形状部材の幅は、全て同一である必要は必ずしもなく、異なっていてもよい。例えば、フィン形状部材の中で先端部の先端の位置が容器の保護すべき面から最も近いフィン形状部材の幅を最も大きくし、先端部の先端の位置が容器の保護すべき面から遠いフィン形状部材の幅を小さくしてもよい。あるいは、先端部の先端の位置が容器の保護すべき面から遠いフィン形状部材ほど、幅が順次小さくなるようにしてもよい。また、フィン形状部材の幅は、全体（先端部、中央部、他端部）にわたって同一である必要は必ずしもなく、異なっていてもよい。例えば、他端部から先端部に向けて段々と狭くなるようにしてもよい。あるいは、他端部の幅を最も大きくし、先端部の幅を最も小さくしてもよい。これらの選択によって、より幅広い収納物重量範囲での衝撃吸収が可能となる。
【００４３】
フィン形状部材の先端部が上端部となるような場合でいえば、フィン形状部材の中で上端部の先端の位置が最も低いフィン形状部材の幅を最も大きくし、上端部の先端の位置が高いフィン形状部材の幅を小さくしてもよい。あるいは、上端部の先端の位置が高いフィン形状部材ほど、幅が順次小さくなるようにしてもよい。また、フィン形状部材の幅は、全体（下端部、中央部、上端部）にわたって同一である必要は必ずしもなく、異なっていてもよい。例えば、下端部から上端部に向けて段々と狭くなるようにしてもよい。あるいは、下端部の幅を最も大きくし、上端部の幅を最も小さくしてもよい。これらの選択によって、より幅広い収納物重量範囲での衝撃吸収が可能となる。
【００４４】
【実施例】
本発明の実施例を以下説明する。なお、本実施例は、本発明を限定するものではなく、本発明の技術的思想を逸脱しない範囲内における変更実施は全て本発明の技術的範囲に含まれる。
【００４５】
〔実施例１〕
図１に例示の容器と同様の形状の角形（直方体状）の放射性物質輸送容器の上部の４つのコーナの各々に対し、本発明の実施例に係る衝撃吸収体を１個ずつ取り付けた。この衝撃吸収体は、図１に例示の衝撃吸収体と同様の形状のフィン形の衝撃吸収体であり、図１の場合と同様に、その先端部（上端部）を容器の保護すべき面（容器の上面）よりも突出させて取り付けた。即ち、フィン形衝撃吸収体の先端部（上端部）を容器の上面よりも高く位置させて取り付けた。
【００４６】
より具体的には、上記実施例に係るフィン形の衝撃吸収体は、図２に例示のフィン形衝撃吸収体と同様に、フィン形状部材を多層に積層した構造を有すると共に、各層のフィン形状部材の先端部（上端部）の先端の位置を順次異ならせて配置したものである。そして、このフィン形の衝撃吸収体は、容器から遠くに位置する層のフィン形状部材ほどフィン形状部材の先端部（上端部）の先端の位置が容器の保護すべき面（容器の上面）から遠くなるように容器に取り付けられる。即ち、このフィン形衝撃吸収体は、容器から遠くに位置する層のフィン形状部材ほど容器の保護すべき面（容器の上面）から突出する部分が長くなるように容器に取り付けられている。この場合、容器から遠くに位置する層のフィン形状部材ほどフィン形状部材の上端部の先端の位置が高くなるように容器に取り付けられているということもできる。また、フィン形状部材の上端部の先端の位置が最も低いものを容器に近い側にして容器に取り付けられているということもできる。このとき、フィン形衝撃吸収体を構成するフィン形状部材の全ての先端部（上端部）の先端を容器の保護すべき面よりも突出させるようにしている。即ち、フィン形衝撃吸収体を構成するフィン形状部材の全ての上端部の先端を容器の上面よりも高く位置させるようにしている。
【００４７】
上記実施例に係るフィン形衝撃吸収体には、その先端部（上端部）と他端部（下端部）との間に該他端部（下端部）から先端部（上端部）に向かう（上方に向かう）に従って容器から遠くなる方向に傾斜する傾斜部がある。このフィン形衝撃吸収体の水平方向断面（容器の保護すべき面に平行な方向の断面）の形状はＬ字状であり、直方体状の容器の上部の４つのコーナの各々に対し、そのコーナ近傍の容器外壁部にフィン形衝撃吸収体の他端部（下端部）の面を沿わせて、フィン形衝撃吸収体を１個ずつ取り付けている。なお、この取り付けは、溶接により行われている。
【００４８】
ここで、上記実施例に係る容器の寸法は、３．７　ｍ　（Ｌ）×２ｍ（Ｗ）　×１．３　ｍ（Ｈ）　である。容器壁の厚みは、１５０ｍｍ　である。容器外壁は、炭素鋼板よりなる。
【００４９】
フィン形衝撃吸収体の寸法は、先端部（上端部）の先端から他端部（下端部）の先端までの長さが３００ｍｍ　であり、幅（端からＬ字の角までの幅）は４００ｍｍ　、全幅はその２倍の６００ｍｍ　である。フィン形衝撃吸収体を構成するフィン形状部材の枚数は４枚である（フィン形状部材４枚が積層されている）。フィン形状部材の厚みは最大４０ｍｍであり、フィン形衝撃吸収体の厚みは最大４０ｍｍ×４＝１６０ｍｍ　である。フィン形状部材は、合金鋼よりなる。
【００５０】
設定されている容器内の収納物の最大重量は、２０ｔｏｎ　である。この場合、容器を含めての重量は、５０ｔｏｎ　である。設定されている収納物の最小重量は、３ｔｏｎ　である。この場合、容器を含めての重量は、３３ｔｏｎ　である。
【００５１】
〔実施例１−ａ〕
上記の実施例に係るフィン形衝撃吸収体が取り付けられ容器の中に、収納物として放射性物質に代えて模擬廃棄体（鉄をモルタル固化）を３ｔｏｎ　（設定されている収納物の最小重量）入れた。しかる後、この容器を高さ０．３ｍ（容器の最下点から落下標的面までの高さ）から容器の上部を下方にして、落下標的面［鋼板をコンクリートで固化（ＩＡＥＡ準拠）］に落下させた。
【００５２】
そうしたところ、フィン形衝撃吸収体の先端から落下標的面に当たり、衝突した。このフィン形衝撃吸収体の地面への衝突の際、図３に例示の場合と同様、容器から最も遠くに位置する層のフィン形状部材（容器に取り付けられた際にフィン形状部材の先端部の先端の位置が容器の保護すべき面から最も遠かったもの、即ち、フィン形状部材の上端部の先端の位置が最も高かったもの）あるいは更にその隣のフィン形状部材が変形して、落下時の衝突エネルギーを吸収した。このため、落下の際の衝撃から容器を保護することができた。
【００５３】
〔実施例１−ｂ〕
上記収納物の量を、３ｔｏｎ　（設定されている収納物の最小重量）に代えて２０ｔｏｎ　（設定されている収納物の最大重量）とした。即ち、上記と同様の容器の中に同様の収納物（模擬廃棄体）を２０ｔｏｎ　入れた。そして、この点を除き、上記実施例１−ａの場合と同様の方法により、容器を落下させた。
【００５４】
そうしたところ、フィン形衝撃吸収体の先端から落下標的面に当たり、衝突した。このフィン形衝撃吸収体の落下標的面への衝突の際、図４に例示の場合と同様、容器から最も遠くに位置する層のフィン形状部材およびその隣のフィン形状部材が変形すると共に、容器に近い側のフィン形状部材（容器に取り付けられた際にフィン形状部材の先端部の先端の位置が容器の保護すべき面から近かったもの、即ち、フィン形状部材の上端部の先端位置が低かったもの）も順次変形してゆき、衝突エネルギーを吸収した。なお、容器に最も近い側のフィン形状部材まで変形を生じる。このため、落下の際の衝撃から容器を保護することができた。
【００５５】
従って、実施例１に係るフィン形衝撃吸収体が取り付けられた容器においては、この衝撃吸収体を容器内の収納物の重量に応じて付け替える必要がなく、容器内収納物の重量が大きい場合も小さい場合も衝撃吸収が可能であり、落下の際の衝撃から容器を保護することができた。
【００５６】
〔実施例２〕
前記実施例１に係るフィン形衝撃吸収体には傾斜部があるが、これに代えて傾斜部を有さず、全体（下端部、中央部および上端部）にわたって真っ直ぐなものを用いた。この点を除き、実施例１の場合と同様の方法により、衝撃吸収体を取り付け、同様の方法により、容器内に収納物を入れた後、同様の方法により、容器を落下させた。そうしたところ、実施例１の場合と同様の現象が認められ、衝撃吸収体を容器内の収納物の重量に応じて付け替える必要がなく、容器内収納物の重量が大きい場合も小さい場合も衝撃吸収が可能であり、落下の際の衝撃から容器を保護することができることが確認された。
【００５７】
なお、以上の実施例１及び実施例２においては、容器として角形（直方体状）のものを用いたが、これに代えて容器側壁が円筒状の容器を用いる場合も、フィン形衝撃吸収体の形状、取り付ける個数等を適宜選定し設定することにより、実施例１及び実施例２の場合と同様の作用効果が得られる。
【００５８】
即ち、フィン形衝撃吸収体の形状をその水平方向断面が円弧状（容器側壁の円筒面に沿う形の円弧）という形状にし、円筒状容器の上部のコーナ近傍の容器側壁部にフィン形衝撃吸収体の下端部の面を沿わせて、フィン形衝撃吸収体を取り付ける。このとき、フィン形衝撃吸収体の幅（円弧の長さ）、フィン形衝撃吸収体の個数、フィン形衝撃吸収体とその隣のフィン形衝撃吸収体との間隔等の条件は、円筒状容器の大きさ（径）、フィン形衝撃吸収体の上端部の長さ等の条件に応じて、次のように設定される。即ち、容器の落下時に落下標的面にフィン形衝撃吸収体のいずれかが最先に衝突し、または、１以上が同時にあるいは前後して衝突するように、前記条件が設定される。
【００５９】
そうすると、衝撃吸収体を容器内の収納物の重量に応じて付け替える必要がなく、容器内収納物の重量が大きい場合も小さい場合も衝撃吸収が可能であり、落下の際の衝撃から容器を保護することができる。
【００６０】
以上の実施例（実施例１及び２）においては、容器の保護すべき面が容器の上面であるが、容器の左側面に蓋がついている場合のように、保護すべき面が容器の側面（左側面や右側面等）である場合にも、本発明を適用することができる。その場合の適用例の場合も以上の実施例と同様の顕著な作用効果を奏する。
【００６１】
【発明の効果】
本発明に係る放射性物質の容器用のフィン形衝撃吸収体によれば、これを容器内の収納物（放射性物質）の重量に応じて付け替えるという必要性がなく、容器内収納物の重量が大きい場合も小さい場合も衝撃吸収が可能である。従って、衝撃吸収体を付け替えることなく、幅広い収納物重量範囲での衝撃を適切に吸収できるようになる。落下の際の衝撃から容器を保護することができる。
【００６２】
本発明に係る放射性物質の容器においては、上記のような優れた作用効果を奏し得るフィン形衝撃吸収体が取り付けられているので、衝撃吸収体を付け替えることなく、幅広い収納物重量範囲での衝撃を適切に吸収でき、従って、落下の際の衝撃から容器が保護されて安全性に優れている。
【図面の簡単な説明】
【図１】本発明例に係るフィン形衝撃吸収体を放射性物質の容器に取り付けた状態の概要を示す斜視図である。
【図２】本発明例に係るフィン形衝撃吸収体を放射性物質の容器に取り付けたときのフィン形衝撃吸収体およびその近傍の状態を示す断面図である。
【図３】容器内の収納物の質量が小さい場合における本発明例に係るフィン形衝撃吸収体の地面への衝突の際の変形の状況を模式的に示す断面図である。
【図４】容器内の収納物の質量が大きい場合における本発明例に係るフィン形衝撃吸収体の地面への衝突の際の変形の状況を模式的に示す断面図である。
【図１】
2004037309.tif 000003
【図２】
2004037309.tif 000004
【図３】
2004037309.tif 000005
【図４】
2004037309.tif 000006